(57)【要約】【課題】  電気的にＬＣＤ装置の光の透過方向を切り替えることができる情報処理装置および表示装置を提供する。【解決手段】  所定方向からの光を遮断または透過する右用偏向フィルターおよび所定の方向とは異なる方向からの光を遮断または透過する左用偏向フィルターを液晶ディスプレイ１３の画素に一対一で対応するように交互に配置した偏向フィルター２１とを備えたディスプレイ１３と、ディスプレイ１３の表示を制御するディスプレイコントローラ２１３と、偏向フィルター２１の光の遮断または透過を制御する遮断／透過フィルター制御部２１１と、右用偏向フィルター用バッファー２０１と、左用偏向フィルター用バッファー２０２と、これらのバッファーに記憶された表示情報を一時的に記憶し、ディスプレイコントローラ２１３に表示情報として送る実表示用バッファー２０３とを具備する。【選択図】      図８
2006242977.tif 000002
【特許請求の範囲】
【請求項１】
画像を複数画素に分解し、画素の集合として表示画面に表示し、１つの表示画像を構成する画素と他の表示画像を構成する画素とを特定の配列で同一の表示面上に画像として出力する液晶表示層と、この液晶表示層の表示側上に位置し、所定方向からの光を遮断または透過する第１のフィルター部材および前記所定の方向とは異なる方向からの光を遮断または透過する第２のフィルター部材を前記液晶表示層の画素に一対一で対応するように交互に配置したフィルター層とを備えた表示手段と、
前記液晶表示層の表示を制御するディスプレイコントローラと、
前記フィルター層の光の遮断または透過を制御するフィルター制御手段と、
前記第１のフィルター部材に対応した画素に表示させる表示情報を記憶する第１のフィルター用メモリと、
前記第２のフィルター部材に対応した画素に表示させる表示情報を記憶する第２のフィルター用メモリと、
前記第１のフィルター用メモリおよび第２のフィルター用メモリに記憶された表示情報を一時的に記憶し、ディスプレイコントローラに表示情報として送るビデオメモリと、
を具備することを特徴とする情報処理装置。
【請求項２】
前記所定の方向とは異なる方向は、所定の方向と面対称となる方向であることを特徴とする請求項１に記載の情報処理装置。
【請求項３】
前記フィルター制御手段は、フィルター層に電荷をかけることにより、光の遮断または透過の制御を行い、ディスプレイコントローラは、第１のフィルター部材に対応する画素と、第２のフィルター部材に対応する画素とにそれぞれ画像を表示させる制御を行うことを特徴とする請求項１に記載の情報処理装置。
【請求項４】
前記フィルター制御手段は、フィルター層に電荷をかけない制御を行うことにより、フィルター層は、全方向からの光を透過し、液晶表示層の画素に表示されているすべての情報を表示することを特徴とする請求項１に記載の情報処理装置。
【請求項５】
前記表示手段は、前記第１のフィルター部材および第２のフィルター部材を縞模様状または市松状に交互に配置することを特徴とする請求項１に記載の情報処理装置。
【請求項６】
液晶表示層の画素に表示されているすべての情報は、前記第１のフィルター部材に対応する画素に表示されている画像および第２のフィルター部材に対応する画素に表示されている画像であることを特徴とする請求項４に記載の情報処理装置。
【請求項７】
画像を複数画素に分解し、画素の集合として表示画面に表示し、１つの表示画像を構成する画素と他の表示画像を構成する画素とを特定の配列で同一の表示面上に画像として出力する液晶表示層と、この液晶表示層の表示側上に位置し、所定方向からの光を遮断または透過する第１のフィルター部材および前記所定の方向とは異なる方向からの光を遮断または透過する第２のフィルター部材を前記液晶表示層の画素に一対一で対応するように交互に配置したフィルター層と、この前記フィルター層の光の遮断または透過を制御するフィルター制御手段とを備えた表示手段と、
前記液晶表示層の表示を制御するディスプレイコントローラと、
前記第１のフィルター部材に対応した画素に表示させる表示情報を記憶する第１のフィルター用メモリと、
前記第２のフィルター部材に対応した画素に表示させる表示情報を記憶する第２のフィルター用メモリと、
前記第１のフィルター用メモリおよび第２のフィルター用メモリに記憶された表示情報を一時的に記憶し、ディスプレイコントローラに表示情報として送るビデオメモリと、
を具備することを特徴とする情報処理装置。
【請求項８】
前記所定の方向とは異なる方向は、所定の方向と面対称となる方向であることを特徴とする請求項７に記載の情報処理装置。
【請求項９】
前記フィルター制御手段は、フィルター層に電荷をかけることにより、光の遮断または透過の制御を行い、ディスプレイコントローラは、第１のフィルター部材に対応する画素と、第２のフィルター部材に対応する画素とにそれぞれ画像を表示させる制御を行うことを特徴とする請求項７に記載の情報処理装置。
【請求項１０】
前記フィルター制御手段は、フィルター層に電荷をかけない制御を行うことにより、フィルター層は、全方向からの光を透過し、液晶表示層の画素に表示されているすべての情報を表示することを特徴とする請求項９に記載の情報処理装置。
【請求項１１】
前記表示手段は、前記第１のフィルター部材および第２のフィルター部材を縞模様状または市松状に交互に配置することを特徴とする請求項７に記載の情報処理装置。
【請求項１２】
前記液晶表示層の画素に表示されているすべての情報は、前記第１のフィルター部材に対応する画素に表示されている画像および第２のフィルター部材に対応する画素に表示されている画像であることを特徴とする請求項１０に記載の情報処理装置。
【請求項１３】
接続されたディスプレイコントローラからの命令で、画像を複数画素に分解し、画素の集合として表示画面に表示し、１つの表示画像を構成する画素と他の表示画像を構成する画素とを特定の配列で同一の表示面上に画像として出力する液晶表示層と、
この液晶表示層の表示側上に位置し、所定方向からの光を遮断または透過する第１のフィルター部材および前記所定の方向とは異なる方向からの光を遮断または透過する第２のフィルター部材を前記液晶表示層の画素に一対一で対応するように交互に配置したフィルター層と、
前記フィルター層の光の遮断または透過を制御するフィルター制御手段と
を備え、
前記ディスプレイコントローラにより、接続された第１のフィルター用メモリからの表示情報を第１のフィルター部材に対応する画素に表示され、接続された第２のフィルター用メモリからの表示情報を第２のフィルター部材に対応する画素に表示されることを特徴とする表示装置。
【請求項１４】
前記所定の方向とは異なる方向は、所定の方向と面対称となる方向であることを特徴とする請求項１３に記載の表示装置。
【発明の詳細な説明】
【技術分野】
【０００１】
本発明はコンピュータやテレビの出力画像等の情報を表示する表示装置または当該表示装置を備えた情報処理装置に係り、特に、同一画面上に単数もしくは複数の画像情報を表示し、表示内容や表示領域を表示装置に対する相対的な位置に応じて切り分けて表示することができる情報処理装置および表示装置に関する。
【背景技術】
【０００２】
従来技術としては、表示装置として、ＬＣＤ装置上に、同一画面上に単数もしくは複数の画像情報を表示し、表示内容や表示領域を表示装置に対する相対的な位置に応じて切り分けて表示する技術が開示されている。当該技術では、正面から見ることのできる一般的なＬＣＤ装置を使用し、左右から見る場合には、ＬＣＤ装置の表面に特殊なレンチキュラ板（レンズ付き偏向板）を物理的に被せることによって、実現している。
【特許文献１】特開２０００−２０６４８３号公報。
【発明の開示】
【発明が解決しようとする課題】
【０００３】
しかし、上述した技術では、正面から見る場合、または左右から見る場合等の用途によって、レンチキュラ板をその都度、物理的に着脱しなければならないという問題がある。このレンチキュラ板の着脱に伴い、物理的な着脱機構が必要となり、コストが増大する。また、レンチキュラ板の着脱機構による物理的な厚みが生じてしまい、ＬＣＤ装置が分厚く、重くなる。
【０００４】
本発明の目的は、電気的にＬＣＤ装置の光の透過方向を切り替えることができる情報処理装置および表示装置を提供することである。
【課題を解決するための手段】
【０００５】
上記課題を解決するために本発明は、画像を複数画素に分解し、画素の集合として表示画面に表示し、１つの表示画像を構成する画素と他の表示画像を構成する画素とを特定の配列で同一の表示面上に画像として出力する液晶表示層と、この液晶表示層の表示側上に位置し、所定方向からの光を遮断または透過する第１のフィルター部材および前記所定の方向とは異なる方向からの光を遮断または透過する第２のフィルター部材を前記液晶表示層の画素に一対一で対応するように交互に配置したフィルター層とを備えた表示手段と、前記液晶表示層の表示を制御するディスプレイコントローラと、前記フィルター層の光の遮断または透過を制御するフィルター制御手段と、前記第１のフィルター部材に対応した画素に表示させる表示情報を記憶する第１のフィルター用メモリと、前記第２のフィルター部材に対応した画素に表示させる表示情報を記憶する第２のフィルター用メモリと、前記第１のフィルター用メモリおよび第２のフィルター用メモリに記憶された表示情報を一時的に記憶し、ディスプレイコントローラに表示情報として送るビデオメモリとを具備することを特徴とする。
【０００６】
このため、電気的にＬＣＤ（液晶ディスプレイ）装置の光の透過方向を切り替えることができる。
【発明の効果】
【０００７】
本発明を用いることにより、電気的にＬＣＤ装置の光の透過方向を切り替える情報処理装置および表示装置を提供することができる。
【発明を実施するための最良の形態】
【０００８】
（第１の実施形態）
以下図面を参照して、本発明の実施形態について説明する。
【０００９】
図１は、本発明の第１の実施形態に係る情報処理装置であるノート型タブレットＰＣを示した斜視図である。
【００１０】
タブレットＰＣ１は、キーボード３、タッチパッド７、および液晶方式の可動式ディスプレイ１３との接続部であるヒンジ部６等を備える本体と、ヒンジ部６に可動可能に接続されたディスプレイ１３とから構成される。タブレットＰＣ１は、ディスプレイ１３がタッチパネルとなっており、スタイライズ８等によってディスプレイ１３に対して直接的に操作できる。
【００１１】
ディスプレイ１３は、ヒンジ部６を軸として、Ｙ軸を中心に回転可能である。また、Ｘ軸を中心として、可倒可能である。例えば、ディスプレイ１３の表示面を上側にして可倒した場合は、図２に示すようなタブレットスタイルとなる。このようにタブレットスタイルとした場合においては、例えば、２人の利用者がディスプレイ１３を見て利用する形態が考えられる。
【００１２】
図３に示すように、利用者２０、２５がディスプレイ１３を見た場合、それぞれの利用者２０、２５に対して、異なる画像を表示させることができる。例えば、ディスプレイ１３上に異なる画像１３ａ、１３ｂを表示させた場合、それぞれの利用者２０、２５からは、実線で示す方向の画像は見ることができ、点線で示した画像は見ることができない。
【００１３】
図４は、ディスプレイ１３に異なる画像を表示させる方法について示した模式図である。
【００１４】
本発明で用いる電気的に切り替え可能なディスプレイ１３は、通常の液晶層１９に偏向フィルター２１を重ね合わせるような構成となっている。このように構成されたディスプレイ１３は、ディスプレイ１３に電圧を掛けていないとき、すなわち状態Ａでは、光２２の向きが偏向フィルター２１によって変わるため、光２２が透過する。一方、ディスプレイ１３に電圧を掛けているとき、すなわち状態Ｂでは、光２２の向きが偏向フィルター２１によって変わらないため、光２２が遮断される。以上より、電圧のオン、オフで光を透過したり遮断したりできる。
【００１５】
図５は、上述した方法を用いた偏向フィルター２１であり、偏向フィルターＲ１０１は、電圧に応じて右斜めからの光（１）を透過または遮断する（左斜めからの光である（２）は常に透過する）。偏向フィルターＬ１０２は、電圧に応じて左斜めからの光（４）を透過または遮断する（右斜めからの光である（３）は常に透過する）。これらの偏向フィルターを縞模様状配列１１０または市松状模様状配列１２０とする。
【００１６】
図６は、偏向フィルターを縞模様状配列１１０とした場合の、ディスプレイ１３に表示された画像の状態を示す模式図である。ディスプレイ１３上の偏向フィルターＲ１０１によって透過された画像（右斜め方向の光（１））は、右用イメージ「Ａ」１０３となり、利用者２０に対しては、「Ａ」という文字に見える。一方、ディスプレイ１３上の偏向フィルターＬ１０２によって透過された画像（左斜め方向の光（４））は、左用イメージ「Ｂ」１０４となり、利用者２５に対しては、「Ｂ」という文字に見える。また、ディスプレイ１３の正面から見たイメージは、偏向フィルターＲ１０１からの左斜めからの光（２）および偏向フィルターＬ１０２からの右斜めからの光（３）の両方のフィルターを透過するので、右用イメージ「Ａ」１０３と左用イメージ「Ｂ」１０４の両方が合成された合成画像１０５として見える。
【００１７】
図７は、市松状模様状配列１２０とした場合の、ディスプレイ１３に表示された画像の状態を示す模式図である。ディスプレイ１３上の偏向フィルターＲ１０１によって透過された画像（右斜め方向の光（１））は、右用イメージ「Ａ」１２１となり、利用者２０に対しては、「Ａ」という文字に見える。一方、ディスプレイ１３上の偏向フィルターＬ１０２によって透過された画像（左斜め方向の光（４））は、左用イメージ「Ｂ」１２２となり、利用者２５に対しては、「Ｂ」という文字に見える。また、ディスプレイ１３の正面から見たイメージは、偏向フィルターＲ１０１からの左斜めからの光（２）および偏向フィルターＬ１０２からの右斜めからの光（３）の両方のフィルターを透過するので、右用イメージ「Ａ」１２１と左用イメージ「Ｂ」１２２の両方が合成された合成画像１２４として見える。偏向フィルターを市松状模様状配列１２０とした場合は、縞模様状配列１１０とした場合よりもさらに細かい画像表示が可能となる。
【００１８】
図８は、本発明の情報処理装置であるタブレットＰＣの構成を示した機能ブロック図である。
【００１９】
タブレットＰＣ１は、当該タブレットＰＣ１の制御用のＣＰＵ２１０、液晶層１９および偏向フィルター２１からなるディスプレイ１３、偏向フィルター２１の光の遮断または透過を制御する遮断／透過フィルター制御部２１１、液晶層１９の画像表示制御を行うディスプレイコントローラ２１３、ディスプレイコントローラ２１３に表示する画像データを一時的に記憶しておくビデオメモリである実表示用バッファー（ＶＲＡＭ）２０３、２０４、偏向フィルターＲ１０１に対応する液晶層１９の画素に表示する画像データを一時的に記憶しておき、実表示用バッファー（ＶＲＡＭ）２０３、２０４に記憶した画像データを送るビデオメモリである右用仮想画面バッファー２０１、偏向フィルターＬ１０２に対応する液晶層１９の画素に表示する画像データを一時的に記憶しておき、実表示用バッファー（ＶＲＡＭ）２０３、２０４に記憶した画像データを送るビデオメモリである左用仮想画面バッファー２０２から構成されている。
【００２０】
なお、実表示用バッファー（ＶＲＡＭ）２０３、２０４は、縞模様状に配置する場合は、偏向フィルター２１は、縞模様状の偏向フィルターおよび実表示用バッファー（ＶＲＡＭ）２０３を用い、市松状模様状に配置する場合は、偏向フィルター２１は、市松状模様状の偏向フィルターおよび実表示用バッファー（ＶＲＡＭ）２０４を用いるものであり、両方の実表示用バッファー（ＶＲＡＭ）２０３、２０４を備えておく必要はない。
【００２１】
以上のように構成されたタブレットＰＣ１の動作について説明する。
【００２２】
複視野切り替えで表示する場合、右用仮想画面バッファー２０１および左用仮想画面バッファー２０２の画素データを交互に実表示用バッファー２０３に転送（配置）する。
【００２３】
この場合、偏向フィルター２１が縞模様状か市松状模様状かで転送（配置）方法が異なる。縞模様状である場合の配置は、左右１画素間隔で交互に行う。一方、市松状模様状である場合の配置は、ライン毎に左右配置と右左配置を繰り返す。
【００２４】
実表示用バッファー２０３は、ディスプレイコントローラ２１３で読み出し、映像信号としてディスプレイ１３に送出される。この時、遮断／透過フィルター制御部２１１で遮断モードが設定されていると、縞模様状（および市松状模様状）で配置された偏向フィルター２１が右斜めまたは左斜めの光を遮断して間引き表示状態となり、視野によって異なった画像を見ることが可能となる。複視野切り替えを行わない通常用途時は、右用仮想画面バッファー２０１および左用仮想画面バッファー２０２の画素データは、そのまま実表示用バッファー２０３に転送する。この時、遮断／透過フィルター制御部２１１は透過モードの設定を行うことで、特定視野の光を遮断することは行われず、左右から同じ画像を見ることができる。
【００２５】
なお、遮断／透過フィルター制御部２１１は、ディスプレイコントローラ２１３に組み込むことも可能である
図９は、アプリケーションプログラムからの表示（描画）要求以後のディスプレイコントローラ２１３のドライバー処理手順を示したフローチャートである。
【００２６】
ドライバーは、ステップＳ１で、アプリケーションプログラムからの表示要求を受けると、ステップＳ２で、複視野表示モードか否か判別する。ステップＳ２で、複視野表示モードであると判別された場合は、ステップＳ９で、描画（表示）要求の対象を判別する。ステップＳ９で、描画要求の対象が右と判別された場合は、ステップＳ１１で、右用仮想画面バッファーに描画し、ステップＳ１３で、右用仮想画面バッファーを実表示用バッファーに転送する。
【００２７】
一方、ステップＳ９で、描画要求の対象が左であると判別された場合は、ステップＳ１５で、左用仮想画面バッファーに描画し、ステップＳ１７で、左用仮想画面バッファーを実表示用バッファーに転送する。
【００２８】
また、ステップＳ３で、複視野表示モードでないと判別された場合は、ステップＳ５で、ディスプレイコントローラ２１３は、一方の（例えば右用）仮想画面バッファー２０１を使って描画し、ステップＳ７で、右用仮想画面バッファー２０１を実表示用バッファー２０３にそのまま隙間なく転送する。
【００２９】
次に、図１０は、複視野切り替え制御が変わったときのドライバーの処理を示したフローチャートである。
【００３０】
ディスプレイコントローラ２１３は、ステップＳ２０で、複視野切り替え制御の処理モードに移行する。ディスプレイコントローラ２１３は、ステップＳ２２で、要求された表示モードが複視野表示モードであるか否かを判別する。ステップＳ２２で、複視野表示モードであると判別されると、ステップＳ２４で、遮断／透過フィルター制御部２１１を遮断モードに設定する。一方、ステップＳ２２で、複視野表示モードでない（通常の表示モード）であると判別されると、ステップＳ２６で、遮断／透過フィルター制御部２１１を透過モードに設定する。
【００３１】
以上より、電気的にＬＣＤ装置の光の透過方向を切り替えることができ、１つの液晶ディスプレイを所定の２方向から異なった画像を参照することができる。
【００３２】
（第２実施形態）
次に、本発明の第２実施形態について図１１を参照して説明する。
【００３３】
第１実施形態と同様の箇所は同符号を用いて示し、詳細な説明は前述に譲る。本発明の第２実施形態の第１実施形態との相違点は、遮断／透過フィルター制御部２１１をディスプレイ１３に組み込んだ点である。
【００３４】
図１１は、遮断／透過フィルター制御部２１１および偏向フィルター２１を備えた液晶ディスプレイ装置（ディスプレイ１３）をケーブル接続した場合を示している。ケーブルには、少なくとも映像信号伝達部（５）および遮断／透過信号伝達部（９）を含む。
【００３５】
以上の構成とすることにより、第２実施形態で示した表示装置（液晶ディスプレイ）と、専用のディスプレイ制御ソフトをインストールした一般的なパーソナルコンピュータとの組み合わせで、本発明を実現することができる。
【００３６】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３７】
【図１】本発明の第１の実施形態に係る情報処理装置であるノート型タブレットＰＣを示した斜視図。
【図２】本発明の第１の実施形態に係る情報処理装置であるノート型タブレットＰＣのタブレットスタイル状態を示した斜視図。
【図３】本発明の第１の実施形態に係る向かい合った２人の利用者が１つのディスプレイを見た場合を示した模式図。
【図４】本発明の第１の実施形態に係るディスプレイに異なる画像を表示させる方法について示した模式図。
【図５】本発明の第１の実施形態に係る偏向フィルターの構成を示した概念図。
【図６】本発明の第１の実施形態に係る偏向フィルターを縞模様状配列とした場合の、ディスプレイに表示された画像の状態を示す模式図。
【図７】本発明の第１の実施形態に係る偏向フィルターを市松状様状配列とした場合の、ディスプレイに表示された画像の状態を示す模式図。
【図８】本発明の第１の実施形態に係る情報処理装置であるタブレットＰＣの構成を示した機能ブロック図。
【図９】本発明の第１の実施形態に係るアプリケーションプログラムからの表示（描画）要求以後のディスプレイコントローラのドライバー処理手順を示したフローチャート。
【図１０】本発明の第１の実施形態に係る複視野切り替え制御が変わったときのドライバーの処理を示したフローチャート。
【図１１】本発明の第２の実施形態に係る情報処理装置であるタブレットＰＣの構成を示した機能ブロック図。
【符号の説明】
【００３８】
１…タブレットＰＣ、３…キーボード、６…ヒンジ部、７…タッチパッド、８…スタイライズ、１３…ディスプレイ、１３ａ．１３ｂ…画像、１９…液晶層、２０．２５…利用者、２０…利用者、２１…偏向フィルター、２２…光、２５…利用者、１０５…合成画像、１１０…縞模様状配列、１２０…市松状模様状配列、１２４…合成画像、２０１…右用仮想画面バッファー、２０２…左用仮想画面バッファー、２０３．２０４…実表示用バッファー、２０３、２０４…実表示用バッファー、２１０…ＣＰＵ、２１１…透過フィルター制御部、２１３…ディスプレイコントローラ
【図１】
2006242977.tif 000003
【図２】
2006242977.tif 000004
【図３】
2006242977.tif 000005
【図４】
2006242977.tif 000006
【図５】
2006242977.tif 000007
【図６】
2006242977.tif 000008
【図７】
2006242977.tif 000009
【図８】
2006242977.tif 000010
【図９】
2006242977.tif 000011
【図１０】
2006242977.tif 000012
【図１１】
2006242977.tif 000013